(57)【要約】【課題】携帯用端末機の動作時、スムースに動き、衝撃を緩和させて、部品の損傷を防止できて、部品の寿命を延長させることができるスライド装置用スプリングモジュールを提供すること。【解決手段】固定プレートと移動プレートとから成るスライド装置に内蔵されるスプリングモジュールは、所定間隔を維持して配置され、相互対向する面に複数のスプリング安着溝が形成される第1および第2スプリング固定部と、両端が第1および第2スプリング固定部のスプリング安着溝に各々挿入固定される複数の引張スプリングと、両端が各々第1スプリング固定部を貫通し、第2スプリング固定部に固定されて、引張スプリングの引張または収縮の時、第1スプリング固定部のスライディングが可能にする第1ガイドフレームと両端が各々第2スプリング固定部を貫通し、第1スプリング固定部に固定されて、引張スプリングの引張または収縮の時、第2スプリング固定部のスライディングが可能にする第2ガイドフレームとを含む。【選択図】図２
2010088119.tif 000002
【特許請求の範囲】
【請求項１】
固定プレートと移動プレートとから成るスライド装置に内蔵されるスプリングモジュールにおいて、
所定間隔を維持して配置され、相互対向する面に複数のスプリング安着溝が形成される第1および第2スプリング固定部、
両端が上記第1および第2スプリング固定部のスプリング安着溝に各々挿入固定される複数の引張スプリング、
両端が各々上記第1スプリング固定部を貫通し、上記第2スプリング固定部に固定されて、上記引張スプリングの引張または収縮の時、上記第1スプリング固定部のスライディングが可能にする第1ガイドフレーム、
両端が各々上記第2スプリング固定部を貫通し、上記第1スプリング固定部に固定されて、上記引張スプリングの引張または収縮の時、上記第2スプリング固定部のスライディングが可能にする第2ガイドフレームを含む、スライド装置用スプリングモジュール。
【請求項２】
上記第1および第2ガイドフレームは、同一水平面上に位置する、請求項１に記載のスライド装置用スプリングモジュール。
【請求項３】
上記第1および第2スプリング固定部のスプリング安着溝には、上記引張スプリングの両端が結合された後、離脱が防止できるように、掛かり鍔が突出形成される、請求項２に記載のスライド装置用スプリングモジュール。
【請求項４】
上記第1および第2ガイドフレームが圧入固定できるように、各々一面に圧入溝が長く形成され、各々上記固定プレートおよび移動プレートの対向面に回動可能に結合される一対のフックをさらに含み、上記第1および第2ガイドフレームは、'コ'字状に折曲形成される、請求項１ないし３のうち何れか一項に記載のスライド装置用スプリングモジュール。
【請求項５】
上記第1および第2ガイドフレームは、一側が開口された環形状の固定部が設けられるように折曲形成されて、各々上記固定プレートおよび移動プレートに装着されるヒンジピンに回動可能に結合される、請求項１ないし３の何れか一項に記載のスライド装置用スプリングモジュール。
【発明の詳細な説明】
【技術分野】
【０００１】
本発明は、携帯用端末機の開閉を可能にするスライド装置に適用されて、弾性力を提供するスプリングモジュールに関する。
【背景技術】
【０００２】
通常的に携帯用端末機の種類は、外形によってバー型(bar type)、フリップ型(flip type)、フォルダー型(folder type)等に分類される。
【０００３】
バー型端末機は、一つの本体ハウジング(housing)にデータ入出力手段と送受話部が装着される形態であって、データ入力手段になるキーパッド(keypad)が常時露出されていて、誤作動を起こすことができ、送話部と受話部との間の距離確保問題で小型化には限界がある。
【０００４】
フリップ型端末機は、本体と、フリップと、本体とフリップを連結させるヒンジモジュール(hinge module)から構成された形態であって、本体にデータ入出力手段と送受話部とが設置され、フリップがデータ入力手段であるキーパッドを覆って、誤作動を防止することができるが、フリップ型端末機やはり送話部と受話部との距離確保の問題のため、小型化には限界がある実状である。
【０００５】
フォルダー型端末機は、本体と、フォルダと、上記本体とフォルダを回動可能に連結させるヒンジモジュールとから構成されて、フォルダが回動することによって開閉される形態であって、フォルダが本体に密着された状態では、通話待機モードになって、キーパッドの誤作動を防止することができ、通話モードではフォルダが拡げられて、送話部と受話部との間の距離を十分に確保することができるので、小型化に有利な利点がある。
【０００６】
フリップ型端末機やフォルダー型端末機は、フリップまたはフォルダを本体に回動可能に結合させるヒンジモジュールによって、フリップまたはフォルダが本体から所定角度以上回動すれば、これ以上力を加えなくても開放される方向に力を受け、所定角度以下では本体に密着される方向に力を受けることになる。
【０００７】
一方、最近では、携帯用端末機デザインが多様化されつつ、二つのハウジングで構成され、一つのハウジングが他の一つのハウジング上でスライディング移動することで開閉されるスライディングタイプの携帯用端末機が段々商用化される傾向である。
【０００８】
すなわち、スライディングタイプの携帯用端末機は、本体とスライド部を相互重ねて配置し、本体とスライド部にディスプレー部およびキー入力部を同じ方向に配置することになる。
【０００９】
この際、スライディングタイプの携帯用端末機には、スライド部がスライディング移動可能にスライド装置が設置されていて、スライド装置は、固定プレートとスライドプレートおよび弾性手段を含んで構成される。
【００１０】
固定プレートは、本体に設置され、スライドプレートは、固定プレートに対し、スライディング可能にスライド部に設置され、固定プレートとスライドプレートとの間には、両端部が各々固定プレートとスライドプレートに設置される弾性手段、例えばスプリングが具備される。
【００１１】
しかし、このようなスライディングタイプの携帯用端末機の場合、スプリングの弾性力によって、スライドプレートが移動することになるので、スプリングの弾性力がとても強い場合、使用者が端末機を使う時、スライドプレートが突然早く移動してしまい、驚くとか、スライドプレートの移動時、部品同士ぶつかってしまい、その衝撃により、部品寿命が短縮される問題点があった。
【発明の概要】
【発明が解決しようとする課題】
【００１２】
本発明は、上述した問題点を解決するため、案出されたものであって、携帯用端末機の動作時、スムースに動き、衝撃を緩和させ、部品の損傷を防止できて、部品の寿命を延長させることができるスライド装置用スプリングモジュールを提供するにその目的がある。
【課題を解決するための手段】
【００１３】
上述した本発明の目的は、固定プレートと移動プレートとから成るスライド装置に内蔵されるスプリングモジュールにおいて、所定間隔を維持して配置され、相互対向する面に複数のスプリング安着溝が形成される第1および第2スプリング固定部と、両端が上記第1および第2スプリング固定部のスプリング安着溝に各々挿入固定される複数の引張スプリングと、両端が各々上記第1スプリング固定部を貫通し、上記第2スプリング固定部に固定されて、上記引張スプリングの引張または収縮の時、上記第1スプリング固定部のスライディングが可能にする第1ガイドフレームと、両端が各々上記第2スプリング固定部を貫通し、上記第1スプリング固定部に固定されて、上記引張スプリングの引張または収縮の時、上記第2スプリング固定部のスライディングが可能にする第2ガイドフレームを含むことを特徴とするスライド装置用スプリングモジュールを提供することによって達成される。
【００１４】
本発明の望ましい特徴によれば、上記第1および第2ガイドフレームは同一水平面上に位置するように結合される。
【００１５】
本発明のより望ましい特徴によれば、上記第1および第2スプリング固定部のスプリング安着溝には、上記引張スプリングの両端が結合された後、離脱が防止されるように掛かり鍔が突出形成される。
【００１６】
本発明のより望ましい特徴によれば、上記第1および第2ガイドフレームが圧入固定できるように、各々一面に圧入溝が長く形成され、各々上記固定プレートおよび移動プレートの対向面に回動可能に結合される一対のフックをさらに含み、上記第1および第2ガイドフレームは「コ」字状に折曲形成される。
【００１７】
本発明のより望ましい特徴によれば、上記第1および第2ガイドフレームは、一側が開口された環形状の固定部が設けられるように折曲形成されて、各々上記固定プレートおよび移動プレートに装着されるヒンジピンに回動可能に結合される。
【発明の効果】
【００１８】
本発明によるスライド装置用スプリングモジュールによれば、携帯用端末機の動作時スムースに動き、衝撃を緩和させて、部品の損傷を防止することができるので、部品の寿命を延長させることができるのはもちろん、ガイドフレームを金属ワイヤ材質で形成することによって、効果的にツイスト発生が可能であり、合わせて一対のガイドフレームが同一水平面上に位置するように結合されているので、スライド装置の厚さが薄くなる場合があって、携帯用端末機のコンパクト化が具現できる。
【図面の簡単な説明】
【００１９】
【図１】本一実施例によるスプリングモジュールが適用されたスライド装置の概略図。
【図２】本発明の一実施例によるスライド装置用スプリングモジュールの斜視図。
【図３】図２に示されたスプリングモジュールの分解斜視図。
【図４】図１に示されたスライド装置の作動図。
【図５】本発明の他の実施例によるスプリングモジュールの斜視図。
【図６】本発明のさらに他の実施例によるスプリングモジュールの斜視図。
【発明を実施するための形態】
【００２０】
以下では、本発明の望ましい実施例に関し、添付図面を参照して詳細に説明することにする。ただし、以下で説明される本発明の実施例は、本発明が属する技術分野で通常の知識を有する者が発明を容易に実施できるほど、詳細に説明するに過ぎなく、これによって本発明の保護範囲が限定されるのを意味するのではない。
【００２１】
図１は、本発明の一実施例によるスプリングモジュールが適用されたスライド装置の概略図であり、図２は、本発明の一実施例によるスライド装置用スプリングモジュールの斜視図であり、図３は、図２に示されたスプリングモジュールの分解斜視図である。
【００２２】
図１に示されたように、本発明の一実施例によるスプリングモジュール３は、スライディングタイプの移動通信端末機の本体に装着される固定プレート１とカバーに装着される移動プレート２との間に設置されて、スライド装置のスライディング作動時、弾性力を与える役目をするものである。
【００２３】
ここで、固定プレート１は、移動プレートの直線スライディングを案内するためのガイド部(図面符号表示されていない)を具備し、スライディングタイプ携帯用端末機の本体(図示されていない)の一面に装着固定される。そして、移動プレート２は、固定プレート１のガイド部によって案内されて、直線スライディングが可能に結合され、携帯用端末機カバー(図示されていない)の一面に装着固定される。
【００２４】
このような固定プレート１と移動プレート２との間に設けられるスプリングモジュール３は、一側が固定プレート１に回動可能に結合され、他側が移動プレートに回動可能に結合され、移動プレートの一定なスライディング位置を基準に移動プレートを加圧する加圧力の方向を転換させる役目をすることになる。
【００２５】
スプリングモジュール３は、図２および図３に示されたように、第１スプリング固定部１０a、第２スプリング固定部１０b、複数の引張スプリング２０、第1ガイドフレーム３０a、第2ガイドフレーム３０bを、含んで成る。
【００２６】
第１スプリング固定部１０aと第２スプリング固定部１０bは、同じ形状で形成され、所定間隔を維持して、それぞれの一面が向かい合うように配置され、相互スライディング可能に拘束される。そして、第１スプリング固定部１０aと第２スプリング固定部１０bは、所定厚さの板形状で形成され、相互対向する面には複数のスプリング安着溝１２a、１２bが対応される位置に形成される。
【００２７】
また、第１スプリング固定部１０aの両側には、一つの結合溝(図示されていない)と貫通孔１６aが対を成して形成される。すなわち、一側に結合溝および貫通孔１６aが形成され、他側に結合溝および貫通孔１６aが順次的に形成されることである。ここで、結合溝は、後述するように第２ガイドフレーム３０bの両端が挿入固定されるようにするため設けられるものであり、貫通孔１６aは、第1ガイドフレーム３０aが貫通してスライディング可能にするため設けられるものである。
【００２８】
そして、第２スプリング固定部１０bの両側にも、一つの結合溝１５bと貫通孔１６bが対を成して形成されていて、結合溝１５bに第1ガイドフレーム３０aの両端が挿入固定され、貫通孔１６bに第2ガイドフレーム３０bが貫通される点で第1スプリング固定部10aとの差異があるだけ、その他技術的特徴は同一である。
【００２９】
一方、第1および第2スプリング固定部１０a、１０bのスプリング安着溝１２a、１２bは、複数個が一定間隔を維持して形成されていて、図３に示されたように、スプリング安着溝１２a、１２bには、引張スプリング２０の両末端が挿入固定された後、離脱が防止されるように掛かり鍔14が外側に突出形成されることが望ましい。
【００３０】
引張スプリング２０は、少なくとも２個以上が一定間隔を隔てて配置され、その一端は、第1スプリング固定部１０aのスプリング安着溝１２a、１２bに挿入固定され、他端は、第２スプリング固定部のスプリング安着溝１２a、１２bに各々挿入固定される。
【００３１】
この時、引張スプリング２０は、その両端が各スプリング固定部１０a、１０bのスプリング安着溝１２a、１２bに容易に固定されることができ、引張スプリング２０が引張されてもスプリング安着溝１２a、１２bに形成された掛かり鍔１４が引張スプリング２０の両末端を固定させて、離脱を防止するので、引張スプリング２０が第１および第２スプリング固定部１０a、１０bから分離されることが防止できる。
【００３２】
第１ガイドフレーム３０aと第２ガイドフレーム３０bは、第１および第２スプリング固定部１０の外側に各々対称されるように配置されて、携帯用端末機のスライディングの時、第１および第２スプリング固定部１０a、１０bの長さ方向への案内役割をするものである。
【００３３】
ここで、第1ガイドフレーム３０aは、両端が折曲されたフレームから成り、その両端は、各々第1スプリング固定部１０aを貫通して、第２スプリング固定部１０bに固定される。これにより、引張スプリング２０の引張または収縮の時、第1スプリング固定部１０aが第1ガイドフレーム３０aの案内でスライディングできる。参考で、第１ガイドフレーム３０aは、両端が直角折曲されて「コ」字状に形成されることも可能であり、所定の屈曲を有する折曲された形状で形成されることもできる。
【００３４】
そして、第２ガイドフレーム３０bも両端が折曲されたフレームからなり、その両端は、各々第２スプリング固定部１０bを貫通して、第１スプリング固定部１０aに固定され、これにより引張スプリング２０の引張または収縮の時、第２スプリング固定部１０bが第２ガイドフレーム３０bの案内でスライディングできる。
【００３５】
この際、第1ガイドフレーム３０aと第２ガイドフレーム３０bとは、同一水平面上に位置するようにすることが望ましい。これはスライド装置の厚さを最小化するためであって、上述したように、第１および第２スプリング固定部１０a、１０bには、結合溝、貫通孔、結合溝、貫通孔が順次的に形成されているので、第１および第２ガイドフレーム３０a、３０bが、同一水平面上に位置するように結合されることができ、図２に示されたように、第２ガイドフレーム３０bの両端の間に、第１ガイドフレーム３０aの一端が位置することになり、第１ガイドフレーム３０aの他端が第２ガイドフレーム３０bの外側に位置することになる。
【００３６】
一方、本発明の一実施例によるスプリングモジュールは、一対のフック４０をさらに含むことができ、このフック４０は、第１ガイドフレーム３０aが固定プレート１に固定されるようにし、第２ガイドフレーム３０bが移動プレート２に固定されるようにする役目をするものである。このようなフック４０は、各々固定プレート１と移動プレート２の対向面に回動可能に結合され、それぞれの一面には圧入溝４２が形成されて、第１および第２ガイドフレーム３０a、３０bが圧入固定されることができる。
【００３７】
一方、スプリング固定部１０a、１０bを摩擦係数が小さいプラスチックで射出成型により製造すると、各スプリング固定部１０a、１０bのスライディングが円滑になり、大量生産が可能であって、全体的な製造単価が節減されることができる。合わせて、ガイドフレーム３０a、３０bは、プラスチック材質に比べて、ツイスト発生が相対的に有利な金属ワイヤからなることが望ましい。
【００３８】
図４は、図１に示されたスライド装置の作動図であって、これを参照して、本発明の一実施例によるスプリングモジュールの作動状態を簡略に説明することにする。
【００３９】
第１および第２スプリング固定部１０a、１０bがスライディングされる最大長さは、引張スプリング２０の引張力によって決まる。図４の(a)に示されたように、引張スプリング２０は、最初収縮された状態を維持していて、使用者が移動プレート２を押し上げると、スプリングモジュール３が回動すると共に引張スプリング２０は伸びることになる。すなわち、スプリングモジュールが回動しながら、第１および第２スプリング固定部１０a、１０bは長さが縮む方向にスライディングされて、移動プレートのスライディングによる長さの変化を吸収する。
【００４０】
次いで、図４の(b)に示されたように、移動プレート２が半分ぐらいスライディングされた場合には、引張スプリング２０は、最大引張状態になり、この場合には、外力が加わらない限り、移動プレート２は移動しない。
【００４１】
次いで、微細な外力だけが加えられても、最大引張された引張スプリング２０の弾性復原力により移動プレート２は、図４の(c)に示されたように、半自動にスライディングできる。すなわち、引張スプリング２０が収縮しながら、それぞれの両端に固定された第１および第２スプリング固定部１０a、１０bを引っ張ることになり、これにより、第１および第２ガイドフレーム３０a、３０bが伸びて、固定プレート１に対して、移動プレート２を押すことになるので、移動プレート２がスライディングされることである。
【００４２】
図５は、本発明の他の実施例によるスプリングモジュールの斜視図であり、図６は、本発明の更に他の実施例によるスプリングモジュールの斜視図である。
【００４３】
図５および図６に示されたスプリングモジュールは、図２に示されたスプリングモジュールと基本的な構成は同一であって、単に第1および第２ガイドフレーム３０a、３０bが固定プレートおよび移動プレートに結合される関係でのみ差異がある。
【００４４】
すなわち、図５および図６に示されたスプリングモジュールの第１および第２ガイドフレーム３０a、３０bは、一側が開口された環形状の固定部３２a、３２bが設けられるように折曲形成されていて、この固定部３２a、３２bが固定プレートまたは移動プレートに装着されるヒンジピン(図示されていない)に回動可能に結合される。固定部３２a、３２bは、図５に示されたように第１および第２ガイドフレーム３０a、３０bの中央部に形成されることもでき、図６に示されたようにそれぞれの一側に形成されることもできる。
【００４５】
このような図５および図６に示されたスプリングモジュールの作動状態は、図２に示されたスプリングモジュールと実質的に同一であるので、より詳細な説明は省略することにする。
【符号の説明】
【００４６】
１０a、１０b      スプリング固定部
１２a、１２b      スプリング安着溝
１４      掛かり鍔
２０      引張スプリング
３０a、３０b      ガイドフレーム
３２a、３２b      固定部
４０      フック
４２      圧入溝
【図１】
2010088119.tif 000003
【図２】
2010088119.tif 000004
【図３】
2010088119.tif 000005
【図４】
2010088119.tif 000006
【図５】
2010088119.tif 000007
【図６】
2010088119.tif 000008